(57)【要約】【課題】湯と水とを混合する混合弁が故障しても、安全性の高い貯湯式温水器を提供すること。【解決手段】本発明の貯湯式温水器は、湯水を貯える貯湯タンク１と、貯湯タンク１の上部より高温水を出湯する出湯管３と、給水源から水を供給する第１給水管３４と、第１給水管３４と出湯管３とを接続し湯水を混合する第１湯水混合装置４と、第１湯水混合装置４で混合された湯が流れる第１給湯管３１と、第１給湯管３１と第１給水管３４から分岐した第２給水管３５とを接続し湯水を混合する第２湯水混合装置７と、第２湯水混合装置７で混合された湯が流れる第２給湯管３２とを備えたことにより、一方の混合装置が固着などで故障した場合においても、他方の混合装置で湯温の調節が可能であるため、安全性の高い貯湯式温水器を提供することができる。【選択図】図１
2009150599.tif 000002
【特許請求の範囲】
【請求項１】
湯水を貯える貯湯タンクと、前記貯湯タンクの上部より高温水を出湯する出湯管と、給水源から水を供給する第１給水管と、前記第１給水管と前記出湯管とを接続し湯水を混合する第１湯水混合装置と、前記第１湯水混合装置で混合された湯が流れる第１給湯管と、前記第１給湯管と前記第１給水管から分岐した第２給水管とを接続し湯水を混合する第２湯水混合装置と、前記第２湯水混合装置で混合された湯が流れる第２給湯管とを備えたことを特徴とする貯湯式温水器。
【請求項２】
給湯端末へ供給する湯の温度を設定する湯温設定手段と、前記第１給湯管を流れる湯の温度を検出する第１のサーミスタと、前記第２給湯管を流れる湯の温度を検出する第２のサーミスタとを備え、前記第１のサーミスタで検出される温度が、前記湯温設定手段で設定された湯の温度となるように前記第１湯水混合装置の開度を制御するとともに、前記第２湯水混合装置は湯側全開としたことを特徴とする請求項１に記載の貯湯式温水器。
【請求項３】
前記第１のサーミスタが異常を検出したときには、前記第２のサーミスタで検出される温度が、前記湯温設定手段で設定された湯の温度となるように、前記第２湯水混合装置の開度を制御することを特徴とする請求項２に記載の貯湯式温水器。
【請求項４】
給湯端末へ供給する湯の温度を設定する湯温設定手段と、前記第１給湯管を流れる湯の温度を検出する第１のサーミスタと、前記第２給湯管を流れる湯の温度を検出する第２のサーミスタとを備え、前記第２のサーミスタで検出される温度が、前記湯温設定手段で設定された湯の温度となるように前記第２湯水混合装置の開度を制御するとともに、前記第１湯水混合装置は湯側全開としたことを特徴とする請求項１に記載の貯湯式温水器。
【請求項５】
給湯端末へ供給する湯の温度を設定する湯温設定手段と、前記第１給湯管を流れる湯の温度を検出する第１のサーミスタと、前記第２給湯管を流れる湯の温度を検出する第２のサーミスタとを備え、前記第２のサーミスタで検出される温度が、前記湯温設定手段で設定された湯の温度となるように前記第２湯水混合装置の開度を制御するとともに、前記第１のサーミスタで検出される温度が、前記湯温設定手段で設定された湯の温度よりも所定温度高い温度となるように前記第１湯水混合装置の開度を制御することを特徴とする請求項１に記載の貯湯式温水器。
【請求項６】
前記第２のサーミスタが異常を検出したときには、前記第１湯水混合装置の開度を水側全開に制御することを特徴とする請求項４または５に記載の貯湯式温水器。
【請求項７】
前記第１湯水混合装置と前記第２湯水混合装置とを一体構成としたことを特徴とする請求項１から６のいずれか１項に記載の貯湯式温水器。
【発明の詳細な説明】
【技術分野】
【０００１】
本発明は、貯湯式温水器に係り、特に混合弁の制御に関するものである。
【背景技術】
【０００２】
従来の貯湯式温水器について、図２を用いて説明する。図２は、従来の貯湯式温水器の構成を示す図である。図２において、貯湯式温水器は、圧縮機１２１、冷媒水熱交換器１２２、膨張弁１２３、大気熱等を集熱する蒸発器１２４を順次接続して構成されたヒートポンプ回路１２５と、貯湯タンク１０６、水ポンプ１２７、冷媒水熱交換器１２２を順次接続して構成される水回路１２８とから構成される。
【０００３】
ヒートポンプを用いて給湯加熱運転を行う場合、まず、蒸発器１２４において、送風ファンにより大気熱を集熱し、その内部を流れる冷媒を蒸発ガス化する。この冷媒は圧縮機１２１に吸引され、機械的に圧縮されて、高温高圧の冷媒として冷媒水熱交換器１２２に流入する。
【０００４】
一方、貯湯タンク１０６下部の水は、循環用の水ポンプ１２７によって搬送され、冷媒水熱交換器１２２に流入し、ここで、高温高圧の冷媒によって加熱され、貯湯タンク１０６上部に流入する。
【０００５】
冷媒水熱交換器１２２で放熱した冷媒は、膨張弁１２３で減圧されて蒸発器１２４に流入する。冷媒は、ここで再び大気熱等から吸熱し、次の圧縮機１２１に供される。
【０００６】
一方、ヒートポンプ給湯機は、貯湯タンク１０６への給水や、貯湯タンク１０６から外部への給湯を行うために、給水入口管１２９、減圧弁１３０、第１および第２の給水管１３１および１３２、出湯管１３３、混合弁１０４、給湯出口管１３５を備えている。
【０００７】
貯湯タンク１０６への給水は、一般の上水管に接続された給水入口管１２９から、減圧弁１３０、第１の給水管１３１を経由して行われる。また、貯湯タンク１０６からの給湯は、給水入口管１２９、減圧弁１３０、第２の給水管１３２を経由して供給された水と、貯湯タンク１０６の上部から出湯管１３３を経由して供給された湯とが、混合弁１０４により適温となるように混合され、給湯出口管１３５を介して外部に供されるものである（例えば、特許文献１参照）。
【特許文献１】特開２００６−１２５６５５号公報
【発明の開示】
【発明が解決しようとする課題】
【０００８】
しかしながら、上記従来の貯湯式温水器の構成では、混合弁４が湯側全開、または湯側寄りの開度で固着などが発生し故障した場合、水と貯湯タンクの高温水が適温に混合することが困難となり、貯湯タンク上部の高温湯と水との混合比を変えることができないため、混合された湯の温度調節ができず、高温のまま給湯端末へ供給されてしまう可能性があり、安全性の低下を招いてしまうという課題があった。
【０００９】
本発明は、前記従来の課題を解決するもので、湯と水とを混合する混合弁が故障しても、安全性の高い貯湯式温水器を提供することを目的とする。
【課題を解決するための手段】
【００１０】
前記従来の課題を解決するために、本発明の貯湯式温水器は、湯水を貯える貯湯タンク
と、前記貯湯タンクの上部より高温水を出湯する出湯管と、給水源から水を供給する第１給水管と、前記第１給水管と前記出湯管とを接続し湯水を混合する第１湯水混合装置と、前記第１湯水混合装置で混合された湯が流れる第１給湯管と、前記第１給湯管と前記第１給水管から分岐した第２給水管とを接続し湯水を混合する第２湯水混合装置と、前記第２湯水混合装置で混合された湯が流れる第２給湯管とを備えたことにより、一方の混合装置が固着などで故障した場合においても、他方の混合装置で湯温の調節が可能であるため、安全性の高い貯湯式温水器を提供することができる。
【発明の効果】
【００１１】
本発明の貯湯式温水器は、湯と水とを混合する混合弁が故障しても、安全性の高い貯湯式温水器を提供することができる。
【発明を実施するための最良の形態】
【００１２】
第１の発明の貯湯式温水器は、湯水を貯える貯湯タンクと、前記貯湯タンクの上部より高温水を出湯する出湯管と、給水源から水を供給する第１給水管と、前記第１給水管と前記出湯管とを接続し湯水を混合する第１湯水混合装置と、前記第１湯水混合装置で混合された湯が流れる第１給湯管と、前記第１給湯管と前記第１給水管から分岐した第２給水管とを接続し湯水を混合する第２湯水混合装置と、前記第２湯水混合装置で混合された湯が流れる第２給湯管とを備えたことにより、第１湯水混合装置（または第２湯水混合装置）が故障したとしても、第２湯水混合装置（または第１湯水混合装置）で適温の湯を生成することができるので、安全性を向上させることができる。
【００１３】
第２の発明の貯湯式温水器は、特に第１の発明において、給湯端末へ供給する湯の温度を設定する湯温設定手段と、前記第１給湯管を流れる湯の温度を検出する第１のサーミスタと、前記第２給湯管を流れる湯の温度を検出する第２のサーミスタとを備え、前記第１のサーミスタで検出される温度が、前記湯温設定手段で設定された湯の温度となるように前記第１湯水混合装置の開度を制御するとともに、前記第２湯水混合装置は湯側全開としたことにより、通常の湯温制御を第１湯水混合装置のみで行うことで、第２湯水混合装置を駆動させることがないので、第２湯水混合装置の耐久性を劣化させることが防止することができる。
【００１４】
第３の発明の貯湯式温水器は、特に第２の発明において、前記第１のサーミスタが異常を検出したときには、前記第２のサーミスタで検出される温度が、前記湯温設定手段で設定された湯の温度となるように、前記第２湯水混合装置の開度を制御することにより、第１湯水混合装置が故障して第１のサーミスタが異常温度を検出、もしくは第１のサーミスタ自体が故障して異常温度を検出したときに、第２湯水混合装置の開度を制御することで、給湯端末へ適温の湯を供給することができる。
【００１５】
第４の発明の貯湯式温水器は、特に第１の発明において、給湯端末へ供給する湯の温度を設定する湯温設定手段と、前記第１給湯管を流れる湯の温度を検出する第１のサーミスタと、前記第２給湯管を流れる湯の温度を検出する第２のサーミスタとを備え、前記第２のサーミスタで検出される温度が、前記湯温設定手段で設定された湯の温度となるように前記第２湯水混合装置の開度を制御するとともに、前記第１湯水混合装置は湯側全開としたことにより、通常の湯温制御を第２湯水混合装置のみで行うことで、第１湯水混合装置を駆動させることがないので、第１湯水混合装置の耐久性を劣化させることが防止することができる。
【００１６】
第５の発明の貯湯式温水器は、特に第１の発明において、給湯端末へ供給する湯の温度を設定する湯温設定手段と、前記第１給湯管を流れる湯の温度を検出する第１のサーミスタと、前記第２給湯管を流れる湯の温度を検出する第２のサーミスタとを備え、前記第２
のサーミスタで検出される温度が、前記湯温設定手段で設定された湯の温度となるように前記第２湯水混合装置の開度を制御するとともに、前記第１のサーミスタで検出される温度が、前記湯温設定手段で設定された湯の温度よりも所定温度高い温度となるように前記第１湯水混合装置の開度を制御することにより、２つの湯水混合装置で温度調節を行うので、第２湯水混合装置で混合する湯の圧力と、水の圧力のバランスが崩れにくくなり、リモコンで設定された温度との差が生じにくくなり、快適な湯水を提供することができる。
【００１７】
第６の発明の貯湯式温水器は、特に第４または第５の発明において、前記第２のサーミスタが異常を検出したときには、前記第１湯水混合装置の開度を水側全開に制御することにより、第２湯水混合装置が故障した場合においても、第１湯水混合装置を水側全開に駆動するので、給湯端末へ高温湯を供給することがなく、安全性を向上させることができる。
【００１８】
第７の発明の貯湯式温水器は、特に第１〜第６の発明において、前記第１湯水混合装置と前記第２湯水混合装置とを一体構成としたことにより、混合弁の省スペース化を実現することができ、メンテナンス性を向上させることができる。
【００１９】
以下、本発明の実施の形態について、図面を参照しながら説明する。なお、この実施の形態によって本発明が限定されるものではない。
【００２０】
（実施の形態１）
図１は、本発明の第１の実施の形態に貯湯式温水器の構成を示す図である。図１において、本実施の形態における貯湯式温水器は、貯湯タンク１を有し、貯湯タンク１には、ヒートポンプや電気ヒータなどで加熱された湯が貯えられる。本実施の形態では、ヒートポンプ２によって加熱を行い、貯湯タンク１に湯を貯えているが、本実施の形態に限定されることがなく、電気ヒータなどで貯湯タンク１内の湯を加熱してもよい。
【００２１】
ヒートポンプ２は、圧縮機２１、水冷媒熱交換器２２、膨張弁２３、蒸発器２４を冷媒配管により順次環状に接続して構成されており、冷媒には二酸化炭素を使用しているため、高圧側が臨界圧力を超えるので、水冷媒熱交換器２２を流通する水に熱を奪われて温度が低下しても凝縮することがなく、水冷媒熱交換器で冷媒と水との間で温度差を形成しやすくなり、高温の湯が得られ、かつ熱交換効率を高くすることができる。また、比較的安価でかつ安定な二酸化炭素を冷媒に使用しているので、製品コストを抑えるとともに、信頼性を向上させることができる。また、二酸化炭素はオゾン破壊係数がゼロであり、地球温暖化係数も代替冷媒ＨＦＣ−４０７Ｃの約１７００分の１と非常に小さいため、地球環境に優しい製品を提供できる。
【００２２】
また、ヒートポンプ２において、圧縮機２１で冷媒が圧縮され、圧縮機２１から吐出された冷媒が水冷媒熱交換器２２で放熱し、膨張弁２３で減圧されたあと、蒸発器２４で空気から熱を吸収し、ガス状態で再び圧縮機２１に吸入される。なお、圧縮機の能力制御および膨張弁２３の開度制御は、圧縮機２１の吐出側に設けたサーミスタ（図示せず）で検出される吐出冷媒の温度が予め設定された温度を維持するように制御される。また、貯湯タンク１内の湯水は、水ポンプ２７が作動することで、水冷媒熱交換器２２に流入し、冷媒と熱交換を行い、再び貯湯タンク１に戻り、積層状態で貯湯タンク１の上部に高温の湯が貯えられる。
【００２３】
一方、貯湯タンク１の上方部には、貯湯タンク１内の高温湯を出湯する出湯管３が配設され、出湯管３の湯と、給水源から供給される水とを混合する第１湯水混合装置４を有している。
【００２４】
また、第１湯水混合装置４にて適温に混合された湯を給湯端末４０へ送る第１給湯管３１を備え、第１給湯管３１の湯と、給水源から供給される水とを混合する第２湯水混合装置７を有し、第２湯水混合装置７にて適温に混合された湯を給湯端末４０へ送る第２給湯管３２を備えている。第１給湯管３１には第１湯水混合装置４で混合した湯の温度を検出するための第１のサーミスタ５１を備え、第２給湯管３２には第２湯水混合装置７で混合した湯の温度を検出するための第２のサーミスタ５２を備えており、さらに第２給湯管３２には給湯端末４０への湯の流量を検出するための流量検出装置５３が配設されている。
【００２５】
また、貯湯タンク１の下部には、給水源から水を供給するタンク給水管３３を備え、さらにタンク給水管３３と分岐して、給水源から水を供給する第１給水管３４が第１湯水混合装置４に接続されており、さらに第１給水管３４と分岐して、給水源から水を供給する第２給水管３５が第２湯水混合装置７に接続されている。
【００２６】
また、給湯端末４０へ供給する湯の温度を設定する湯温設定手段であるリモコン６１を有しており、リモコン６１で設定した湯の温度となるように、マイコンおよびその周辺回路等で構成される制御装置６２を介して第１湯水混合装置４および第２湯水混合装置７の開度が制御される。
【００２７】
なお、図１に示す実践矢印は湯水の流れ方向、点線矢印は信号のやり取りを示している。
【００２８】
以上のように構成された貯湯式温水器において、以下、第１湯水混合装置および第２湯水混合装置の動作、作用について説明する。
【００２９】
まず、使用者は給湯端末４０から出湯する湯の温度を、リモコン６１にて設定する。そして、第１のサーミスタ５１がリモコン６１で設定した湯の温度となるように、第１湯水混合装置の開度を変更する。一方、第２湯水混合装置の開度は湯側に全開にすることで、給湯端末４０へは、使用者が要求する湯が供給される。
【００３０】
しかしながら、第１湯水混合装置が何らかの故障で、湯側全開位置で固着、もしくは湯側寄りで固着してしまうことにより、第１のサーミスタ５１では、リモコン６１で設定した温度と異なる異常温度を検出してしまう。もしくは、第１のサーミスタ５１自体が故障してしまい、第１湯水混合装置が正常であっても、正常に温度調節ができない。
【００３１】
そこで第１のサーミスタ５１で異常温度を検出すると、次に第２のサーミスタ５２で検出する温度が、リモコン６１で設定した湯の温度となるように、第２湯水混合装置７の開度を変更する。その結果、第１湯水混合装置４が故障にて駆動が不能になったとしても、第２湯水混合装置７が駆動可能であるため、すぐに使用者が給湯端末４０から所望の温度の湯を手に入れることが不可能になることはない。
【００３２】
また、第２湯水混合装置７で所望の温度の湯を生成することが可能ではあるが、そのまま使用を継続すると、万が一、第２湯水混合装置７も故障した場合には、給湯端末４０から高温の湯が出湯してしまう可能性もあるため、第１湯水混合装置４が故障すると、第２湯水混合装置７で給湯端末４０へ供給する湯を混合する一方で、リモコン６１などに、「このまま、給湯運転を継続することはできますが、異常箇所がありますのでサービス会社へ連絡してください。」などの表示を行うことで、第１湯水混合装置４が故障していることを使用者に知らせることができる。このように表示することで、使用者に安心感を持たせる一方で、給湯機に異常があることを知らせ、修理・メンテナンスを使用者に促すことができる。
【００３３】
また、第１湯水混合装置４が故障した時点から、所定の期間のみ給湯運転を可能にして、所定の期間が経過後は、給湯運転ができないようにし、リモコン６１に「異常箇所がありますのでサービス会社へ連絡してください。」などの表示を行い、第２湯水混合装置７が故障する前に、給湯運転を不可能にして、給湯端末４０から高温の湯が出湯することを回避してもよい。このようにすることで、第１湯水混合装置４が故障してから、所定の期間の間は給湯運転が可能であるので、使用者が要求する湯を給湯端末４０へ供給することができるが、所定の期間が経過した後は、第２湯水混合装置７が故障してしまう前に、給湯運転を停止して、使用者の安全性を確保することができる。
【００３４】
また、第１湯水混合装置４が故障したときには、第２湯水混合装置７の開度を変更してリモコン６１で設定した湯の温度に混合するのではなくて、第２湯水混合装置７を水側全開に駆動することで、給湯端末４０から高温湯が出湯することを防ぐ構成としてもよい。このように第２湯水混合装置７を駆動することで、給湯端末４０へは水しか供給されなくなるので、確実に使用者の安全性を確保することができる。
【００３５】
また、第１湯水混合装置４が故障したときには、一旦、第２湯水混合装置７を水側全開に駆動し、制御装置６２で第２湯水混合装置７が正常に動作することが確認できた後に、リモコン６１で設定した湯の温度となるように、第２湯水混合装置７の開度を変更するようにしてもよい。このように第２湯水混合装置７を駆動制御することで、確実に使用者の安全性を確保した後、さらに使用者の要求する湯の温度を給湯端末４０へ供給することができるので、使用性の高い貯湯式温水器を提供することができる。
【００３６】
なお、第１湯水混合装置４および第２湯水混合装置７を別体として設けるのではなくて、一体的に構成することで、省スペース化を図ることができる。
【００３７】
（実施の形態２）
実施の形態２における貯湯式温水器の構成は、実施の形態１と同じ構成であるため、説明を省略し、実施の形態１と同じ符号を付して、以下、第１湯水混合装置４および第２湯水混合装置７の動作、作用の説明をする。
【００３８】
まず、使用者は給湯端末４０から出湯する湯の温度を、リモコン６１にて設定する。そして、第２のサーミスタ５２がリモコン６１で設定した湯の温度となるように、第２湯水混合装置７の開度を変更する。一方、第１湯水混合装置４の開度は湯側に全開にすることで、給湯端末４０へは、使用者が要求する湯が供給される。このように、通常の温度制御はどちらか一方の湯水混合装置のみを用いて行うことで、使用しない方の湯水混合装置の耐久性を劣化させることがない。
【００３９】
しかしながら、第２湯水混合装置が何らかの故障で、湯側全開位置で固着、もしくは湯側寄りで固着してしまうことにより、第２のサーミスタ５２では、リモコン６１で設定した温度と異なる異常温度を検出してしまう。もしくは、第２のサーミスタ５２自体が故障してしまい、第２湯水混合装置が正常であっても、正常に湯温調節ができない。
【００４０】
そこで、第２のサーミスタ５２で異常温度を検出すると、次に第１湯水混合装置４の開度を水側全開にすることで、給湯端末４０へ高温を供給することを防止することができる。
【００４１】
なお、第１湯水混合装置４および第２湯水混合装置７を別体として設けるのではなくて、一体的に構成することで、省スペース化を図ることができる。
【００４２】
（実施の形態３）
実施の形態３における貯湯式温水器の構成は、実施の形態１と同じ構成であるため、説明を省略し、実施の形態１と同じ符号を付して、以下、第１湯水混合装置４および第２湯水混合装置７の動作、作用の説明をする。
【００４３】
まず、使用者は給湯端末４０から出湯する湯の温度を、リモコン６１にて設定する。そして、第２のサーミスタ５２がリモコン６１で設定した湯の温度となるように、第１の湯水混合装置４の開度および第２湯水混合装置７の開度を変更する。
【００４４】
第２のサーミスタ５２で検出する温度がリモコン６１で設定した温度となるように、第２湯水混合装置７の開度が決定され、一方、第１湯水混合装置４の開度は、第１のサーミスタ５１で検出する温度がリモコン６１で設定した温度よりも所定温度高い温度となるように、決定される。
【００４５】
つまり、第１湯水混合装置では、一旦、設定温度よりも所定温度Ａだけ高い温度となるように湯と水が混合され、設定温度よりも所定温度Ａだけ高い温度で第２湯水混合装置に送られるので、第２湯水混合装置に供給される湯水の温度が略一定となるので、第２湯水混合装置で混合される湯の温度を安定させることができる。
【００４６】
そして、第１湯水混合装置が故障した場合に、湯側全開位置で固着、もしくは湯側寄りで固着してしまうことになれば、第１のサーミスタ５１では、リモコン６１で設定した温度と異なる異常温度を検出してしまう。もしくは、第１のサーミスタ５１自体が故障してしまい、第１湯水混合装置が正常であっても、正常に温度調節ができない。
【００４７】
そこで、第１のサーミスタ５１で異常温度を検出すると、次に第２のサーミスタ５２で検出する温度が、リモコン６１で設定した湯の温度となるように、第２湯水混合装置７の開度を変更する。その結果、第１湯水混合装置４が故障にて駆動が不能になったとしても、第２湯水混合装置７が駆動可能であるため、すぐに使用者が給湯端末４０から所望の温度の湯を手に入れることが不可能になることはない。
【００４８】
また、第１湯水混合装置４では、ある所定温度Ｂ（例えば、６０℃）以下の温度となるように湯水を混合することで、仮に第２湯水混合装置７が故障したとしても、給湯端末４０へは所定温度Ｂ以下の温度の湯水が供給されるため、火傷を防止することができる。
【００４９】
また、第２湯水混合装置７で所望の温度の湯を生成することが可能ではあるが、そのまま使用を継続すると、万が一、第２湯水混合装置７も故障した場合には、給湯端末４０から高温の湯が出湯してしまう可能性もあるため、第１湯水混合装置４が故障すると、第２湯水混合装置７で給湯端末４０へ供給する湯を混合する一方で、リモコン６１などに、「このまま、給湯運転を継続することはできますが、異常箇所がありますのでサービス会社へ連絡してください。」などの表示を行うことで、第１湯水混合装置４が故障していることを使用者に知らせることができる。このように表示することで、使用者に安心感を持たせる一方で、給湯機に異常があることを知らせ、修理・メンテナンスを使用者に促すことができる。
【００５０】
また、第１湯水混合装置４が故障した時点から、所定の期間のみ給湯運転を可能にして、所定の期間が経過後は、給湯運転ができないようにし、リモコン６１に「異常箇所がありますのでサービス会社へ連絡してください。」などの表示を行い、第２湯水混合装置７が故障する前に、給湯運転を不可能にして、給湯端末４０から高温の湯が出湯することを回避してもよい。このようにすることで、第１湯水混合装置４が故障してから、所定の期間の間は給湯運転が可能であるので、使用者が要求する湯を給湯端末４０へ供給することができるが、所定の期間が経過した後は、第２湯水混合装置７が故障してしまう前に、給
湯運転を停止して、使用者の安全性を確保することができる。
【００５１】
また、第１湯水混合装置４が故障したときには、第２湯水混合装置７の開度を変更してリモコン６１で設定した湯の温度に混合するのではなくて、第２湯水混合装置７を水側全開に駆動することで、給湯端末４０から高温湯が出湯することを防ぐ構成としてもよい。このように第２湯水混合装置７を駆動することで、給湯端末４０へは水しか供給されなくなるので、確実に使用者の安全性を確保することができる。
【００５２】
また、第１湯水混合装置４が故障したときには、一旦、第２湯水混合装置７を水側全開に駆動し、制御装置６２で第２湯水混合装置７が正常に動作することが確認できた後に、リモコン６１で設定した湯の温度となるように、第２湯水混合装置７の開度を変更するようにしてもよい。このように第２湯水混合装置７を駆動制御することで、確実に使用者の安全性を確保した後、さらに使用者の要求する湯の温度を給湯端末４０へ供給することができるので、使用性の高い貯湯式温水器を提供することができる。
【００５３】
一方、第１湯水混合装置４は正常で、第２湯水混合装置が故障してしまった場合には、湯側全開位置で固着、もしくは湯側寄りで固着してしまうことにより、第２のサーミスタ５２では、リモコン６１で設定した温度と異なる異常温度を検出してしまう。もしくは、第２のサーミスタ５２自体が故障してしまい、第２湯水混合装置が正常であっても、正常に湯温調節ができない。
【００５４】
そこで、第２のサーミスタ５２で異常温度を検出すると、次に第１湯水混合装置４の開度を水側全開にすることで、給湯端末４０へ高温を供給することを防止することができる。
【００５５】
以上のように、どちらか一方の湯水混合装置が故障したとしても、他方の湯水混合装置が駆動して給湯端末４０へ高温湯を供給することを防止するため、安全性の高い貯湯式温水器を提供することができる。
【００５６】
なお、第１湯水混合装置４および第２湯水混合装置７を別体として設けるのではなくて、一体的に構成することで、省スペース化を図ることができる。
【産業上の利用可能性】
【００５７】
以上のように、本発明の貯湯式温水器は、２つの混合弁にて水を混合させる構成としているので、どちらか一方が故障しても給湯端末４０へ高温湯を供給することを防止し、安全性の高い貯湯式温水器を提供することができるものであり、ヒートポンプ給湯機に限らず、ヒータ式や太陽熱を熱源とする貯湯式温水器にも適用することができる。
【図面の簡単な説明】
【００５８】
【図１】本発明の実施の形態１における貯湯式温水器の構成図
【図２】従来の貯湯式温水器の構成図
【符号の説明】
【００５９】
１  貯湯タンク
２  ヒートポンプ
３  出湯管
４  第１湯水混合装置
７  第２湯水混合装置
２１  圧縮機
２２  水冷媒熱交換器
２３  膨張弁
２４  蒸発器
２７  水ポンプ
３１  第１給湯管
３２  第２給湯管
３３  タンク給水管
３４  第１給水管
３５  第２給水管
４０  給湯端末
５１  第１のサーミスタ
５２  第２のサーミスタ
５３  流量検出手段
６１  温度設定手段
６２  制御装置
【図１】
2009150599.tif 000003
【図２】
2009150599.tif 000004